(57)【要約】【課題】同じ狭持部材のみでソケット形状の溝により各ソケット向き角度を溝角度により任意に設定し、かつソケットの距離を一定に保つこともできるようにしたエレベーターのソケット装置を提供する。【解決手段】エレベーターの乗りかごおよび釣合錘を懸架する複数本のワイヤロープの端部をそれぞれ係止部に係止するためのエレベーターのソケット装置であって、中空、断面楕円形状の複数のソケットについて、その一方端からワイヤロープを配し、またその他方端からシンブルロッドを配して係止部に係止するとともに、型枠により中空、断面楕円形状の複数のソケットの断面楕円形状の方向が所定角度をもって並列配置されるように固定配置することを特徴とする。【選択図】図１
2017124912.tif 000002
【特許請求の範囲】
【請求項１】
エレベーターの乗りかごおよび釣合錘を懸架する複数本のワイヤロープの端部をそれぞれ係止部に係止するためのエレベーターのソケット装置であって、
中空、断面楕円形状の複数のソケットについて、その一方端から前記ワイヤロープを配し、またその他方端からシンブルロッドを配して前記係止部に係止するとともに、型枠により前記中空、断面楕円形状の複数のソケットの断面楕円形状の方向が所定角度をもって並列配置されるように固定配置することを特徴とするエレベーターのソケット装置。
【請求項２】
請求項１記載のエレベーターのソケット装置であって、
１対の木枠で構成された前記の型枠は、前記木枠の接合面の一方側に前記シンブルロッドを配置するための複数の固定孔を備え、また前記木枠の接合面の他方側に中空、断面楕円形状のソケットを配置するための複数の嵌合孔を備えるとともに、
前記複数の嵌合孔に前記ソケットを配置したときに、前記中空、断面楕円形状の複数のソケットの断面楕円形状の方向が所定角度をもって並列配置されるように形成されていることを特徴とするエレベーターのソケット装置。
【請求項３】
請求項１記載のエレベーターのソケット装置であって、
１対の枠で構成された前記の型枠は、枠内に前記中空、断面楕円形状の複数のソケットを固定配置するとともに、
前記型枠に前記ソケットを固定配置したときに、前記中空、断面楕円形状の複数のソケットの断面楕円形状の方向が所定角度をもって並列配置されるように形成されていることを特徴とするエレベーターのソケット装置。
【発明の詳細な説明】
【技術分野】
【０００１】
本発明は、エレベーターの乗りかごや釣合錘を懸架しているワイヤロープの端部を係止するためのエレベーターのソケット装置に関する。
【背景技術】
【０００２】
エレベーターのソケット装置は、ワイヤロープのねじれに伴ってその軸線回りに回転することを防止する必要がある。このための具体的なエレベーターのシャックルロッド回転防止構造装置について、特許文献１に記載されたものがある。
【０００３】
特許文献１には、「エレベーターの乗りかごおよび釣合錘を懸架する複数本のワイヤロープの端部をそれぞれ係止部に係止するためのシャックルロッドが、前記ワイヤロープと一体に回転することを防止する構造であって、前記複数本のワイヤロープのうちの１本の端部近傍部分を第１のシャックルロッドに固定するとともに、このワイヤロープの端部を延設して前記第１のシャックルロッドに挿通した後、前記第１のシャックルロッドに隣接している第２のシャックルロッドに挿通したことを特徴とするエレベーターのシャックルロッド回転防止構造。」が記載されている。
【０００４】
この構造は、要するに各シャックルロッドのソケットのうち全体的に平坦な形状を有している部品を第２の狭持部材によって一体に狭持することにより、係止部材に対する各シャックルロッドの回転を防止するようにしたものである。
【先行技術文献】
【特許文献】
【０００５】
【特許文献１】特開２００６−１８８３１５号公報
【発明の概要】
【発明が解決しようとする課題】
【０００６】
特許文献１には、シャックルロッドを狭持部材で挟み込む回転防止構造装置が記載されている。しかし、特許文献１に記載された構造装置では、１８０°一定での回転防止だけに適用が限定されていた。このため、任意の角度での回転防止及び各シャックルロッドの距離を一定に保つ構造ではなかった。
【０００７】
この点に関し通常、エレベーターにおいてソケット向きはエレベーターを使用しているうちに変わってくる。また、釣合錘側のロープエンドにおいては釣合錘が近づいたり離れたりすることによって、互いのシンブルロッドが近づいたり離れたりする。
【０００８】
このため、エレベーターのソケット装置としては、ワイヤロープのねじれに伴ってその軸線回りに回転することを防止する構造である必要性があり、より詳しくは、構造が簡単で低コストでありながら現場作業が容易であり、かつ信頼性の高いソケット回転防止構造のものとされる必要がある。
【０００９】
以上のことから、本発明の目的は、同じ狭持部材のみでソケット形状の溝により各ソケット向き角度を溝角度により任意に設定し、かつソケットの距離を一定に保つこともできるようにしたエレベーターのソケット装置を提供することにある。
【課題を解決するための手段】
【００１０】
上記課題を解決するために、本発明においては、エレベーターの乗りかごおよび釣合錘を懸架する複数本のワイヤロープの端部をそれぞれ係止部に係止するためのエレベーターのソケット装置であって、中空、断面楕円形状の複数のソケットについて、その一方端からワイヤロープを配し、またその他方端からシンブルロッドを配して係止部に係止するとともに、型枠により中空、断面楕円形状の複数のソケットの断面楕円形状の方向が所定角度をもって並列配置されるように固定配置することを特徴とする。
【発明の効果】
【００１１】
本発明によれば、新たに狭持部材を設けずに、各ソケット向き角度を任意に設定できるようにしたエレベーターのソケット装置を提供することができる。
【００１２】
上記した以外の課題、構成及び効果は、以下の実施形態の説明により明らかにされる。
【図面の簡単な説明】
【００１３】
【図１】本発明の実施例１に係るエレベーター装置のソケット部を拡大した図。
【図２】一般的なエレベーター装置の懸架構成例を示す図。
【図３】一般的なエレベーター装置の懸架構成例を示す図。
【図４】図３の懸架構造の場合におけるワイヤロープの端部を拡大して示した図。
【図５ａ】木枠５をソケット１１側から見た時の斜視図。
【図５ｂ】木枠５をシンブルロッド１２の側から見た時の斜視図。
【図５ｃ】木枠５を接合面から見た時の斜視図。
【図６】本発明の実施例２に係るエレベーター装置のソケット部を拡大した図。
【図７】図６の金枠５の構成例を示す図。
【発明を実施するための形態】
【００１４】
以下、本発明の実施例について図面を用いて説明する。
【実施例１】
【００１５】
図２、図３は一般的なエレベーター装置の懸架構成例を示している。図２の例では、トラクションシーブ２１およびそらせシーブ２２に巻き掛けたワイヤロープ３によって、乗りかご２４および釣合錘２５を釣瓶状に懸架しており、ワイヤロープ３の一端３ａは乗りかご２４に係止され、他端３ｂは釣合錘２５に係止されている。
【００１６】
また、図３に示したように、かご側シーブ２４ａおよび錘側シーブ２５ａを介して乗りかご２４および釣合錘２５を懸架する構造のエレベーターにおいては、ワイヤロープ３の両端３ａ、３ｂがそれぞれマシンビーム２６に係止されている。
【００１７】
図４は、図３の懸架構造の場合におけるワイヤロープ３の端部３ａまたは端部３ｂを拡大して示した図である。係止部材であるマシンビーム２６に係止された複数本のロッド１２のそれぞれは固定用の木枠５を介して、複数のワイヤロープ３の端部を保持する複数のソケット１１に接続されている。なお図の例では、ワイヤロープ３はかご側シーブ２４ａに巻き掛けられているが、同様の構造は、図２、図３の懸架方式の他の端部も同様に構成されている。
【００１８】
図４の構成によれば、かご側シーブ２４ａは複数のロープ３を掛けられた状態で上下に昇降する。ロープ３の端部はソケット３を介し、シンブルロッド１２で締め上げられている。かご側シーブ２４ａが上昇するとシンブルロッド１２間が狭くなるので木枠５でシンブルロッド１２の間隔を保っている。
【００１９】
本発明は、ワイヤロープ３の端部を保持するソケット１１と、このソケット１１を係止部材２６に係止するシンブルロッド１２と、シンブルロッド１２の間隔を保持する木枠５から構成されるソケット部の改良に係るものである。なおこのソケット部分を、シャックルロッドと呼ぶことがある。このように、一般的なエレベーター装置の懸架構成例によれば、ワイヤロープ３の両端３ａ、３ｂは、図４に示したようにそれぞれソケット部を介して係止部材（図４の場合にはマシンビーム）２６に係止されている。
【００２０】
図１は、本発明の実施例１に係るエレベーター装置のソケット部を拡大した図である。エレベーターの乗りかごおよび釣合錘を懸架する複数本のワイヤロープ３の端部をそれぞれ係止部２６に係止するためのソケット３が、ワイヤロープ３と一体に回転することを防止する構造である。
【００２１】
図１によれば、係止部材であるマシンビーム２６の上方において、シンブルロッド１２の先端１２ｂは、係止部材２６の挿通孔に挿通された後、コイルばね１５、ワッシャ１６およびダブルロックナット１２６が取り付けられて、係止部材２６に対して弾性的に支持されている。
【００２２】
また図１によれば、係止部材であるマシンビーム２６の下方にソケット部が配置されている。複数のソケット１１は、ワイヤロープ３の端部が巻回されるクサビ部材１３を収納する台形状中空部分１１ａと、この台形状中空部分１１ａの上面に位置する楕円形状中空部分１１ｂとを有している。
【００２３】
シンブルロッド１２の頭部１２ａは、これらの楕円形状中空部分１１ｂ内の隙間部分に挿入され、連結軸１４によってソケット１１に連結される。
【００２４】
本発明では、図５ａ、図５ｂ、図５ｃの斜視図に示すように、木枠５により複数のシンブルロッド１２と複数のソケット１１を固定配置している。
【００２５】
図５ａは、木枠５をソケット１１側から見た時の斜視図であり、左右木枠５Ｒ、５Ｌの接合面５Ｃ上にソケット１１の楕円形状中空部分１１ｂが嵌合するための嵌合孔５１がソケット数、従ってワイヤロープ３数だけ設けられている。嵌合孔５１の特徴は、ソケット１１の楕円形状中空部分１１ｂが嵌合された時に、多少の余裕をもって嵌合された遊嵌合とされた点、並びに楕円形状中空部分１１ｂが接合面５Ｃ上に対して所定の角度をもって斜めに配置されている点である。図示ｈは、斜め配置方向を示している。またソケット１１の断面Ａ−Ａは、楕円形状中空部分１１ｂが嵌合孔５１に挿入された時の挿入下部位置を示している。
【００２６】
図５ｂは、木枠５をシンブルロッド１２の頭部１２ａ側から見た時の斜視図であり、左右木枠５Ｒ、５Ｌの接合面５Ｃ上にシンブルロッド１２の頭部１２ａが固定されるための固定孔５２がソケット数、従ってワイヤロープ３数だけ設けられている。シンブルロッド１２の頭部１２ａの断面Ｂ−Ｂは、シンブルロッド１２の頭部１２ａが固定孔５２に挿入された時の挿入上部位置を示している。
【００２７】
このように木枠は、その左右木枠５Ｒ、５Ｌの接合面５Ｃには、上面にシンブルロッド１２の頭部１２ａが固定孔５２、下面にソケット１１の楕円形状中空部分１１ｂが嵌合するための嵌合孔５１が形成されるように構成されている。このように、シンブルロッド１２の形状の固定孔５２及びソケット１１の形状の嵌合孔５１を有することにより、シンブルロッド１２を固定し、同時にソケット１１の向きを斜め方向に拘束するように挟み込む。なお、左右木枠５Ｒ、５Ｌは、ボルト１８を介し、ナット１９にて締め付け固定する。
【００２８】
図５ｃは、接合面５Ｃにおける形状を示しており、断面の上部はシンブルロッド１２の円形棒状の形状を示し、断面の下部はソケット１１の楕円形状中空部分１１ｂの斜め楕円形状を反映した孔構造を備えている。
【００２９】
実施例１によれば、左右木枠５Ｒ、５Ｌの一方の接合断面上に、断面形状に沿ってシンブルロッド１２の頭部１２ａとソケット１１の楕円形状中空部分１１ｂを配置し、その後に左右木枠５Ｒ、５Ｌの他方の接合断面を合わせて、左右木枠５Ｒ、５Ｌの間を、ボルト１８を介してナット１９にて締め付け固定するという作業工程により完全に実現可能である。
【実施例２】
【００３０】
実施例１では、木枠５を用いてシンブルロッド１２の頭部１２ａとソケット１１の楕円形状中空部分１１ｂを所定の保持、配置関係を確保したものである。これに対し、実施例２に係るエレベーターのソケット装置では、ソケット１１の楕円形状中空部分１１ｂを所定の保持、配置関係とする金枠５ｅ、５ｆにより固定するものである。
【００３１】
図６、図７を用いて本発明の実施例２に係るソケット装置を説明する。尚、図６において、図１と同一記号は同一部品を示すので、再度の説明は省略する。要するに実施例２では、金枠５ｅ、５ｆによりソケット１１の楕円形状中空部分１１ｂを所定の配置関係となるように締め付け固定したものである。
【００３２】
金枠５ｅ、５ｆは、図７に一例を示すように、木枠５ａ、５ｂと同様に２組の枠形状の部材であり、ソケット１１の楕円形状中空部分１１ｂを締め付け固定する。この場合に、金枠５ｅ、５ｆで構成する枠形状により、複数のソケット１１の楕円形状中空部分１１ｂを図５ａと同様に、所定の角度θをもって斜めに配置したものである。なお実施例１ではシンブルロッド１２の頭部１２ａ側を木枠により固定し、ソケット１１の楕円形状中空部分１１ｂ側を遊嵌合させる関係にしているが、実施例２の場合金枠５ｅ、５ｆは複数のソケット１１の楕円形状中空部分１１ｂを所定の角度関係に固定している。
【００３３】
なお金枠５ｅ、５ｆは、あらかじめ片側のボルト１８とナット１９にて固定しておく。その後にソケット３を挟み込み、他方側をボルト１８とナット１９で締結することにより、ソケットの向きが正しいかを含めて検査可能な、固定兼検査治具としても機能する。
【００３４】
以上説明をした本発明は、エレベーターの乗りかごおよび釣合錘を懸架する複数本のワイヤロープの端部をそれぞれ係止部に係止するためのエレベーターのソケット装置である。ソケット装置は、中空、断面楕円形状の複数のソケットについて、その一方端から前記ワイヤロープを配し、またその他方端からシンブルロッドを配して前記係止部に係止するとともに、型枠により中空、断面楕円形状の複数のソケットの断面楕円形状の方向が所定角度をもって並列配置されるように固定配置する機能を果たしている。この場合に型枠とは、実施例１ではソケット１１とシンブルロッド１２部分を一体に配置するための木型で構成しており、実施例２ではソケット１１部分を締結する金型により実現したものである。
【符号の説明】
【００３５】
３：ワイヤロープ
３ａ、３ｂ：ワイヤロープ３の両端
５ａ、５ｂ：木枠
５ｅ、５ｆ：金枠
５Ｒ、５Ｌ：左右木枠
５Ｃ：接合面
１１：ソケット
１１ａ：台形状中空部分
１１ｂ：楕円形状中空部分
１２：シンブルロッド
１３：クサビ部材
１５：コイルばね
１６：ワッシャ
１７：ダブルロックナット
１８：ボルト
１９：ナット
２１：トラクションシーブ
２２：そらせシーブ
２４：乗りかご
２５：釣合錘
２４ａ：かご側シーブ
２５ａ：錘側シーブ
２６：マシンビーム
５１：嵌合孔
５２：固定孔
【図１】
2017124912.tif 000003
【図２】
2017124912.tif 000004
【図３】
2017124912.tif 000005
【図４】
2017124912.tif 000006
【図５ａ】
2017124912.tif 000007
【図５ｂ】
2017124912.tif 000008
【図５ｃ】
2017124912.tif 000009
【図６】
2017124912.tif 000010
【図７】
2017124912.tif 000011